(57)【特許請求の範囲】
【請求項１】
接続管の管端とこの接続管に接続される被接続部材との両方にそれぞれ設けられたフランジ同士を当接させた状態で、両フランジの一部を、開口部を介して長孔へ挿入して前記接続管に対して前記被接続部材を抜け止め保持するクリップの前記両フランジからの脱落を防止するカバーが、外部力によるクリップの脱落を防止するようクリップの前記開口部を形成する一対の開口端に跨がって前記開口部を被覆するカバー本体と、このカバー本体から連設され、クリップの前記開口端同士が外側へ開くのを防止するため前記開口端のそれぞれ外周面側から当接する防止片とから構成され、更に、前記カバー本体には、前記接続管または被接続部材に設けたシール部材を梱包・出荷時等に保護するためのキャップ部を設けて、当該シール部材の保護カバーを兼用するように構成してあることを特徴とする管接続用クリップの脱落防止カバー。
【発明の詳細な説明】
【０００１】
【発明の属する技術分野】
本発明は、接続管に対して逆止弁等の被接続部材を抜け止め保持するクリップの脱落防止カバーに関する。
【０００２】
【従来の技術】
従来のこの種クリップの脱落防止カバーとして、例えば、特開平８−２８７７０号公報に開示されたものがある。すなわち、接続管の管端を逆止弁へ内嵌して両者のフランジ同士を当接させ、クリップの長孔へ両フランジの一部を挿入して前記接続管に対して前記逆止弁の抜け止めを行うようにし、更に、クリップの前記両フランジからの脱落を防止するためクリップの開口部の一対の開口端に跨がって、脱落防止カバーを例えば上方側から外嵌装着するように構成されている。
【０００３】
【発明が解決しようとする課題】
ところで、従来では、脱落防止カバーと逆止弁先端部の外周に設けたシール用Ｏリングを保護する保護カバーは別部品となっており、クリップを脱落防止カバーに装着した状態で、かつ、シール用Ｏリングを保護カバーで覆った状態で、別々に袋詰めされて保存または梱包・出荷される。そして、現場での施工時においては、脱落防止カバーは使用されるけれども、前記保護カバーは廃棄されている。したがって、工場等で行われる組付け作業が多くなる上に、成形のために両者に応じた金型が必要であったり、部品袋等の副資材が必要であり、コスト高となっていた。また、前記保護カバーは施工時には捨てるので廃材が多くなる。また、部品袋は多いので紛失するおそれがあった。
【０００４】
本発明はこのような実情を考慮に入れてなされたものであって、コスト安で、廃材を削減できる管接続用クリップの脱落防止カバーを提供することを目的としている。
【０００５】
【課題を解決するための手段】
すなわち、本発明は、接続管の管端とこの接続管に接続される被接続部材との両方にそれぞれ設けられたフランジ同士を当接させた状態で、両フランジの一部を、開口部を介して長孔へ挿入して前記接続管に対して前記被接続部材を抜け止め保持するクリップの前記両フランジからの脱落を防止するカバーが、外部力によるクリップの脱落を防止するようクリップの前記開口部を形成する一対の開口端に跨がって前記開口部を被覆するカバー本体と、このカバー本体から連設され、クリップの前記開口端同士が外側へ開くのを防止するため前記開口端のそれぞれ外周面側から当接する防止片とから構成され、更に、前記カバー本体には、前記接続管または被接続部材に設けたシール部材を梱包・出荷時等に保護するためのキャップ部を設けて、当該シール部材の保護カバーを兼用するように構成してある。
【０００６】
【発明の実施の形態】
図１〜３は本発明の脱落防止カバーの使用状態を示し、図４は、梱包・出荷時に１つに袋詰めされる脱落防止カバーを含む部品を示し、図５は、施工時における脱落防止カバーの取り付け動作を示しており、これらの図において、１は湯水混合栓、２はこの湯水混合栓１に湯または水を供給するサプライ管、３はこのサプライ管２の上流端に連通連結された中継管、４はこの中継管３に連通連結される逆止弁、５はこの逆止弁４を取付ける止水栓である。
【０００７】
前記サプライ管２は例えば合成樹脂からなる可撓管であり、その外側面を例えばステンレス製の網体によって耐圧保護している。２ａはこのサプライ管２の上流端に嵌合される金属からなるリングであり、中継管３の下流端にサプライ管２を挿入した状態でこのリング２ａをかしめることにより、中継管３とサプライ管２との接続を強固にしている。
【０００８】
前記中継管３は例えば真鍮からなるパイプ材を例えばプレス加工することにより形成されている。すなわち、中継管３の下流側の外周には前記サプライ管２の抜け止め用の波状部分３ａを形成し、上流側の端部にはフランジ３ｂと内径拡大部分３ｃとを形成している。
【０００９】
一方、逆止弁４は例えば真鍮からなる棒材を旋盤加工などにより切削して形成しており、その内部には逆止弁本体（図示せず）を挿入するための弁室４ａを形成し、上流端側には止水栓５に接続する雌ねじ４ｂを形成している。逆止弁４の下流端側の接続部分４ｃは前記内径拡大部分３ｃの内径に挿入できる外径であり、この接続部分４ｃの外周には二つのＯリング４ｄ，４ｄを埋設している。そして、これらのＯリング４ｄ，４ｄより内側の管にはフランジ４ｅを形成している。
【００１０】
８はクリップで、一枚の帯状の金属部材を折曲形成してなり、図１に示すように、挿通部Ａと、開口部Ｂと、一対の長孔Ｃ，Ｃとを有している。そして、全体として弾性を有している。
【００１１】
一方、前記脱落防止カバー６は、クリップ８の前記開口部Ｂを形成する一対の開口端ｂ，ｂに跨がって開口部Ｂを被覆するカバー本体９と、このカバー本体９から連設され、クリップ８の前記開口端ｂ，ｂのそれぞれ外周面側から当接する一対の防止片１０，１０とから構成され、前記カバー本体９によって、外部力によるクリップ８の脱落を防止できるとともに、前記防止片１０，１０によって、クリップ８の前記開口端ｂ，ｂ同士が外側へ開くのを防止できる。
【００１２】
更に、カバー本体９には、逆止弁４の二つのＯリング４ｄ，４ｄを梱包・出荷時等に保護するための保護口７ａを有するキャップ部７を内側に設けて、当該Ｏリング４ｄ，４ｄの保護カバーを兼用するように構成してある。
【００１３】
而して、逆止弁４の図４に示す状態の組付け作業が、例えば、工場で行われる。つまり、上方側からクリップ８に対して外嵌装着された脱落防止カバー６のカバー本体９におけるキャップ部７の保護口７ａに逆止弁４の接続部分４ｃを嵌挿した状態で、１つの袋に詰められて保存または運搬される。したがって、梱包・出荷時における部品袋等の副資材を削減できる。
【００１４】
また、現場施工時には、前記袋から脱落防止カバー６およびクリップ８付の逆止弁４を取り出し、脱落防止カバー６の保護口７ａから接続部分４ｃを取り外すことで逆止弁４を脱落防止カバー６から分離し、さらに、脱落防止カバー６からクリップ８を取り外す。この場合、脱落防止カバー６は、逆止弁４のＯリング４ｄの保護カバーを兼用しているので、従来のように保護カバーは施工時には捨てるので廃材が多くなるといった事態を回避でき、廃材を確実に削減できる。
【００１５】
続いて、接続部分４ｃを中継管３の内径拡大部分３ｃに挿入し、かつ、フランジ３ｂ，４ｅ同士が当接した状態で、クリップ８を両フランジ３ｂ，４ｅを挟み込むように挿入することにより、中継管３に対して逆止弁４が抜け止め保持された状態となる。
【００１６】
しかる後に、クリップ８の開口端ｂ，ｂに跨がって上方側から脱落防止カバー６を防止片１０，１０を通してクリップ８に外嵌装着する。これにより、防止片１０，１０が開口端ｂ，ｂのそれぞれ外周面に当接し、開口端ｂ，ｂ同士が外側へ開くのを防止できる。よって、クリップ８が容易に脱落することがない。
【００１７】
なお、上記実施形態では、中継管３に対して逆止弁３を抜け止め保持する構成のものを示したが、接続管同士（つまり、被接続部材も管である場合）の抜け止め保持をクリップで行う構成のものにも本発明は適用できる。また、逆止弁３にＯリング４ｄを設けた構成のものを示したが、このシール部材は、中継管３に設けてもよく、更に、接続管同士の抜け止め保持の場合には、いずれか一方がシール部材を設けて構成されているものであればよい。
【００１８】
図６は、キャップ部１７を脱落防止カバー１６のカバー本体１９の外側に設けてある本発明の他の実施形態を示す。なお、図１〜３と同一の符号が付された部材は同一または同等の部材であるので、その詳細な説明を省略する。
【００１９】
この場合でも、工場での組付け作業の際に、上方側からクリップ８に対して外嵌装着された脱落防止カバー１６のカバー本体１９におけるキャップ部１７の保護口１７ａに逆止弁の接続部分を嵌挿した状態で、１つの袋に詰められて保存または運搬されることで、梱包・出荷時における部品袋等の副資材を削減できる。
【００２０】
【発明の効果】
以上詳述したように、本発明の管接続用クリップの脱落防止カバーは、接続管および被接続部材間のシールを行うシール部材を梱包・出荷時等に保護するためのキャップ部を設けて、当該シール部材の保護カバーを兼用するように構成してあるので、以下の効果を奏する。
▲１▼  金型が１つで済む。
▲２▼  廃材を大幅に削減できる。
▲３▼  梱包・出荷時における部品袋等の副資材を削減できる。
▲４▼  梱包・出荷時における部品点数が減ることで紛失を少なくできる。
【図面の簡単な説明】
【図１】本発明の一実施形態の脱落防止カバーを用いた湯水混合栓の一例を要部拡大して示す斜視図である。
【図２】上記実施形態における脱落防止カバーを装着した状態を示す縦断面図である。
【図３】上記実施形態における脱落防止カバーを装着した状態を示す横断面図である。
【図４】上記実施形態において梱包・出荷時の組付け状態を示す斜視図である。
【図５】上記実施形態における脱落防止カバーの装着動作を示す要部斜視図である。
【図６】本発明の他の実施形態の脱落防止カバーを装着した状態を示す横断面図である。
【符号の説明】
３…中継管、３ｂ…中継管のフランジ、４…逆止弁、４ｄ…Ｏリング、４ｅ…逆止弁のフランジ、６…脱落防止カバー、７ａ…保護口、８…クリップ、９…カバー本体、１０…防止片、ｂ…開口端。
【図１】
0003819988.tif 000002
【図２】
0003819988.tif 000003
【図３】
0003819988.tif 000004
【図４】
0003819988.tif 000005
【図５】
0003819988.tif 000006
【図６】
0003819988.tif 000007